(57)【要約】      （修正有）【課題】ドアパネルのドアスコープレンズユニットと組合せて、ドアスコープレンズユニットが取得した画像を取得すると共に、デジタル式画像に変換して表示するデジタル式ドアスコープ装置を提供する。【解決手段】ケース、画像取得装置、信号処理装置、表示装置及び結合部材を含み、画像取得装置はドアスコープレンズユニットが取得した画像光源を取得するためのレンズを含み、信号処理装置で画像光源を連続した動態のデジタル式画像信号に変換処理した上、表示装置で画像信号を表示し、結合部材によってケースとドアスコープレンズユニットとを一つに結合する。【選択図】図１
0003160302.tif 000002
【実用新案登録請求の範囲】
【請求項１】
ドアパネルのドアスコープレンズユニットと組合せて、前記ドアスコープレンズユニットが取得した画像を取得すると共に、デジタル式画像に変換して表示するデジタル式ドアスコープ装置であって、
ケースと、
前記ドアスコープレンズユニットが取得した画像光源を取得するためのレンズを含む、前記ケースに設置したデジタル式画像取得装置と、
前記画像光源をデジタル式の画像信号に変換処理して出力するための信号処理装置と、
前記デジタル式画像を受信して表示するための表示装置と、
前記ケースと前記ドアスコープレンズユニットとを一つに結合するための結合方法と、
を含むことを特徴とするデジタル式ドアスコープ装置。
【請求項２】
前記ドアスコープレンズユニットは螺合接続した第１筒体と第２筒体を含み、前記第１筒体にはレンズを取り付け、前記第２筒体の第一端には外径が拡大されたリング端を環設し、前記第１筒体は前記ドアパネルの孔の一端に位置決めし、前記第２筒体の第二端は前記孔の他端から貫入して前記第１筒体と螺接し、前記結合方法は、
台座はプレートを具備し、前記プレート上に貫通孔を設けて前記第２筒体を貫入した上で前記第１筒体と螺接し、前記貫通孔の外縁は前記第２筒体の前記リング端に係止させ、前記プレートの一面に突起を設けて前記貫通孔の円周壁を囲繞し、前記円周壁の内壁には複数個の嵌入端を設けるステップと、
前記ケース上に設けて前記レンズを取り付ける筒体であって、前記筒体の外周に前記複数個の嵌入端と逐一組合せて嵌め込む複数個の係止端を取り付けるステップと、
前記台座は前記第１筒体と第２筒体で螺接し、前記第２筒体の前記リング端で挟み合わせて前記ドアパネル上に固定し、前記筒体の末端は前記円周壁内に貫入して前記レンズと前記第２筒体の末端とを組合せた上、ある角度回動させ、前記嵌入端と前記係止端によって嵌合させて前記ケースと前記台座を結合し、前記ドアパネルに位置決めするステップと、
を含むことを特徴とする請求項１に記載のデジタル式ドアスコープ装置。
【請求項３】
前記筒体の末端と前記ケースとは並行であり、且つ前記ケース上の前記筒体の周縁にはリング溝を設け、前記リング溝は前記台座の円周壁に進入させることを特徴とする請求項２に記載のデジタル式ドアスコープ装置。
【請求項４】
前記ケースは錐形状であり、その面積の大きい端面は前記ドアパネルに向けられ、面積の小さなもう一方の端面は前記表示装置の表示画面を設置することを特徴とする請求項１に記載のデジタル式ドアスコープ装置。
【請求項５】
前記ケースは一端に第１開口を有する１つのハウジングを含み、前記ハウジングの前記第１開口はケースカバーを覆設し、前記ハウジング内部に電源供給装置を設置して、ユーザーがケースカバーを開けて電源供給装置を交換することを特徴とする請求項１に記載のデジタル式ドアスコープ装置。
【請求項６】
前記ケースは一端に第２開口を有する１つのハウジングを含み、前記ハウジングの前記第２開口には前記表示装置の表示画面を設置することを特徴とする請求項１に記載のデジタル式ドアスコープ装置。
【請求項７】
前記ハウジングの前記第２開口は透明板を覆設して前記表示画面を保護することを特徴とする請求項６に記載のデジタル式ドアスコープ装置。
【請求項８】
前記ケースは一端に第１開口を有し、他端に第２開口を有する１つのハウジングを含み、前記ハウジングの前記第１開口はケースカバーを覆設し、前記ハウジング内部に電源供給装置を設置して、ユーザーがケースカバーを開けて電源供給装置を交換し、前記ハウジングの前記第２開口には前記表示装置の表示画面を設置することを特徴とする請求項１に記載のデジタル式ドアスコープ装置。
【請求項９】
前記ケースの前記第２開口は透明板を覆設して前記表示画面を保護することを特徴とする請求項８に記載のデジタル式ドアスコープ装置。
【請求項１０】
前記ケース上に前記信号処理装置の起動を制御するためのスイッチを取り付け、前記信号処理装置が起動すると、前記画像取得装置が作動して画像を取得するよう制御し、最後に前記表示装置が表示することを特徴とする請求項１に記載のデジタル式ドアスコープ装置。
【請求項１１】
前記表示装置は前記ケースに一体となるよう設置し、それは表示するための液晶表示画面を含むことを特徴とする請求項１に記載のデジタル式ドアスコープ装置。
【請求項１２】
前記信号処理装置は前記画像取得装置が前記ドアスコープレンズユニットから取得した画像を修正した上で前記表示装置によって表示するための画像修正装置を含むことを特徴とする請求項１に記載のデジタル式ドアスコープ装置。
【請求項１３】
さらに画像を記録（保存）するためのメモリを含むことを特徴とする請求項１に記載のデジタル式ドアスコープ装置。
【考案の詳細な説明】
【技術分野】
【０００１】
本考案はデジタル式ドアスコープ装置に関し、特にケース、画像取得装置、信号処理装置、表示装置及び結合方法を含み、ドアスコープレンズユニットと結合させてドアスコープレンズユニットが取得した画像を取得すると共に、デジタル式画像に変換して表示することができ、又は歪曲した画像を校正した上で表示することができるデジタル式ドアスコープ装置に関する。
【背景技術】
【０００２】
通常、住宅、マンション或いはビルのドアパネルには大抵ドアスコープレンズユニットが取り付けられており、家主がドアを開けることなくドアスコープレンズユニットを通してドア内の覗き窓からドア外部の来客や外の様子を観察することができる。
【０００３】
一般に従来のドアスコープレンズユニットは相互に螺接された第１筒体と第２筒体を含み、この第１筒体にはレンズが取り付けられ、第２筒体の第一端には外径が拡大されたリング端が環設され、先ず第１筒体を前記ドアパネルの孔の一端に位置決めし、第２筒体の第二端を前記孔の他端から貫入して第１筒体と螺接し、第１、第２筒体によって螺接して挟み合わせてドアパネルに固定し、ユーザーが第２筒体の第一端とレンズからドア外部の様子を見ることができる。
【考案の概要】
【考案が解決しようとする課題】
【０００４】
上記の従来構造は広角効果でドア外部の様子を監視する効果を備えているとはいえ、ドアスコープレンズユニットのレンズは体積が小さいため、光学画像画面までもが相対的に小さくなることから、家主が画像を識別するのがより困難となり、その上家主の眼の負担も増すこととなる。さらにドア外部の来客や外の様子を観察するために、家主の眼はレンズの覗き窓に合せるのに骨が折れ、家主が観察するのに不便でありまた面倒ともなっていることから、前記従来の構造は確かにさらなる改良の必要がある。従来のものは撮影機や表示画面監視システムを多く利用しているものの、大部分の従来の監視システムは簡便なモジュール化構造設計がなく、取り付け面で技術的に困難であり、一般の消費者は購入後自分で取り付けることができず、技術スタッフの手を借りねばならず、使用に不便を来たしている。
【０００５】
本考案の主な目的は、デジタル撮影／現像技術を採用して一般に市販されているドアスコープレンズユニットをひとつに統合することから、ドアスコープレンズユニットの金型や部品を新たに開発する必要がなく、生産コストを節減すると共に、ドア外部の様子の画像をリアルタイムでデジタル画像に変換することができるので、画面が大きく画像識別度が良好等の特徴を備え、家主が手軽で眼に負担もなくドア外部の来客や外の様子を観察することができるデジタル式ドアスコープ装置を提供することにある。
【０００６】
本考案の別の目的は、ユーザーが購入後、既存のドアスコープレンズユニットを利用すれば、手軽に取り付けられ、使用面での利便性が大幅に向上する、組立が簡便なモジュール化構造設計を提供することにある。
【課題を解決するための手段】
【０００７】
上記の効果を達成するために、本考案が採用する技術方法は主にドアパネルのドアスコープレンズと組合せて、前記ドアスコープレンズユニットが取得した画像を取得すると共に、デジタル式画像に変換して表示し、ケース、画像取得装置、信号処理装置、表示装置及び結合方法を含み、画像取得装置はドアスコープレンズユニットが取得した画像光源を取得するためのレンズを含み、信号処理装置で光学画像をデジタル式画像信号に変換処理した上で、表示装置で画像信号を表示し、このようにして、結合方法によりケースとドアスコープレンズユニットとを一つに結合することができる。
【０００８】
上記の効果を達成するために、本考案が採用する結合方法は、台座と、ケース上に設けてレンズを取り付けた筒体とを含み、台座にはプレートを設け、プレート上には貫通孔を設けて第２筒体を貫入した上で第１筒体と螺接し、貫通孔の外縁は第２筒体のリング端に係止させ、筒体の外周に複数個の嵌入端と逐一組合せて嵌め込む複数個の係止端を取り付け、台座は第１筒体と第２筒体で螺接し、第２筒体のリング端で挟み合わせてドアパネル上に固定し、筒体の末端は円周壁内に貫入してレンズと第２筒体の末端とを組合せた上、ある角度回動させ、嵌入端と係止端によって嵌合させてケースと台座を結合してドアパネル上に位置決めする。
【図面の簡単な説明】
【０００９】
【図１】本考案の斜視分解図である。
【図２】本考案の別の視角から見た斜視分解図である。
【図３】本考案の一部構成後の斜視図である。
【図４】本考案の一部構成後の全体の状態を示した概略図である。
【図５】本考案の構成後の斜視図である。
【図６】本考案の構成後の全体の状態を示した概略図である。
【図７】本考案の構成断面を示した概略図である。
【図８】本考案の基本回路の制御ブロックを示した概略図である。
【考案を実施するための形態】
【００１０】
〔実施形態〕
（１、本考案の基本的技術特徴）
図１から図８に示すように、本考案は家主がドア外部の様子を観察するのに便利なように、主としてデジタル撮影／現像技術を一般に市販されているドアスコープレンズユニット１０に結合して、ドア外部の様子の画像光源を放映可能な連続動態のデジタル画像に変換するものであり、前記目的及び効果を達成するために、本考案の構造の基本的特徴は、ケース２０、画像取得装置３０、信号処理装置４０、表示装置５０及び結合方法６０を含み、結合方法６０によってケース２０とドアパネル１のドアスコープレンズユニット１０とを結合して、ドアスコープレンズユニット１０が取得した画像光源を取得し、デジタル式画像に変換した上でドア外部の様子の画像をリアルタイムで表示する。
【００１１】
本考案は主に画像取得装置３０の第一レンズ３１（ｆｉｒｓｔ  ｌｅｎｓ）を通してドアスコープレンズユニット１０が撮影した画像光源を取得した上、信号処理装置４０で画像光源を変換して連続動態であるＡＶＩ又はＭＰＥＧ−２等の様式のデジタル画像信号に編集処理して、表示装置５０が画像信号を表示することができる。
【００１２】
（２、本考案の具体的実施）
（２．１ドアスコープレンズユニット）
図１から図３及び図７に示すように、本考案と結合させるドアスコープレンズユニット１０は螺接して接合された第１筒体１１と第２筒体１２を含み、前記第１筒体１１には広角又は魚眼効果を備えた第二レンズ１１０（ｓｅｃｏｎｄ  ｌｅｎｓ）を取り付け、第２筒体１２の第一端（ｆｉｒｓｔ  ｅｎｄ）には外径が拡大されたリング端１２０を環設し、第１筒体１１はドアパネル１の孔１ａの一端に位置決めされ、第２筒体１２の第二端（ｓｅｃｏｎｄ  ｅｎｄ）は孔１ａの他端から貫入して第１筒体１１と螺接して構成される。
【００１３】
（２．２結合方法）
図１から図３及び図７に示すように、本考案の結合方法６０は主にドアスコープレンズユニット１０とケース２０を結合して固定し、ユーザーが既存のドアスコープレンズユニット１０を利用すれば、迅速且つ便利に本考案の装置をドアパネル１に組み立てることができる。それは台座６１と、ケース２０上に設けて第一レンズ３１（ｆｉｒｓｔ  ｌｅｎｓ）を取り付けた筒体６２とを含み、台座６１にはプレート６１０を設け、プレート６１０上には貫通孔６１１を設けて第２筒体１２を貫入した上で第１筒体１１と螺接し、貫通孔６１１の外縁は第２筒体１２のリング端１２０に係止させ、プレート６１０の一面には突起を設けて前記貫通孔６１１の円周壁６１２を囲繞し、前記円周壁６１２の内壁には複数個の第一嵌入端６１３（ｆｉｒｓｔ  ｔｅｎｏｎ）を設け、筒体６２の外周に複数個の第一嵌入端６１３（ｆｉｒｓｔ  ｔｅｎｏｎ）と逐一組合せて嵌め込む複数個の第二嵌入端６２０（ｓｅｃｏｎｄ  ｔｅｎｏｎ）を取り付ける。
【００１４】
上記の具体的な実施形態では、台座６１は第１筒体１１と第２筒体１２で螺接されて第２筒体１２のリング端１２０で挟み合わせてドアパネル１上に固定し、筒体６２の末端は円周壁６１２内に貫入して第一レンズ３１（ｆｉｒｓｔ  ｌｅｎｓ）と第２筒体１２の末端とを組合せ、ある角度回動させ、第一嵌入端６１３（ｆｉｒｓｔ  ｔｅｎｏｎ）と第二嵌入端６２０（ｓｅｃｏｎｄ  ｔｅｎｏｎ）によって嵌合させ、ケース２０と台座６１を結合してドアパネル１上に位置決めする。また、ケース２０をドアパネル１上に平らに貼り付けることから、筒体末端はケースと並行となる態様を呈し、しかもケース上の前記筒体の周縁にはリング溝を設け、前記リング溝に前記台座の円周壁を進入させる。
【００１５】
（２．３ケース）
図１から図４で示すように、本考案のケース２０は主に画像取得装置３０、信号処理装置４０及び電源供給装置７０を覆って保護し、しかもケース２０は錐形状で、その面積の大きい端面はドアパネル１に向けられ、面積の小さいもう一方の端面は表示装置５０の表示画面５１を設置し、造形的美観に配慮しているだけでなく、装置をドアパネル１上に取り付ける安定性にも配慮している。
【００１６】
図１から図４で示すように、ケース２０の具体的な実施形態１では、ケース２０はその一端に第１開口２２を有する１つのハウジング２１を含み、ハウジング２１の第１開口２２はケースカバー２４を覆設し、ハウジング２１内部には電源供給装置７０を設置し、ユーザーがケースカバー２４を開けて電源供給装置７０を交換することができる。
【００１７】
図１から図４で示すように、ケース２０の具体的な実施形態２では、その一端に第２開口２３を有する１つのハウジング２１を含み、ハウジング２１の第２開口２３は表示装置５０の表示画面５１を設置し、ハウジング２１の第２開口２３は透明板２５を覆設して表示画面５１を保護する。
【００１８】
図１、図２で示すように、ケース２０の具体的な実施形態３では、ケース２０はその一端に第１開口２２を有し、他端に第２開口２３を有する１つのハウジング２１を含み、ハウジング２１の第１開口２２はケースカバー２４を覆設し、ハウジング２１内部には電源供給装置７０を設置して、ユーザーがケースカバー２４を開けて電源供給装置７０を交換することができる。ハウジング２１の第２開口２３には表示装置５０の表示画面５１を設置し、ハウジング２１の第２開口２３は透明板２５を覆設して表示画面５１を保護する。
【００１９】
（２．４画像取得装置）
図２、図７及び図８で示すように、本考案の画像取得装置３０は筒体６２にある第一レンズ３１（ｆｉｒｓｔ  ｌｅｎｓ）と、ＣＣＤやＣＭＯＳの様な感光部材３２を含み、その作動原理はドアスコープレンズユニット１０の第二レンズ１１０（ｓｅｃｏｎｄ  ｌｅｎｓ）と第一レンズ３１（ｆｉｒｓｔ  ｌｅｎｓ）の光路を通じてドア外部の画像光源を撮影した上で、感光部材３２が画像光源をマトリクス式電気信号に変換する。好ましい焦点調整効果を達成するために、ドアスコープレンズユニット１０を貫通する第二レンズ１１０（ｓｅｃｏｎｄ  ｌｅｎｓ）と第一レンズ３１（ｆｉｒｓｔ  ｌｅｎｓ）の軸線は同一直線であり、しかも感光部材３２をレンズの焦点平面上に固定する。
【００２０】
（２．５信号処理装置）
図８に示すように、本考案の信号処理装置４０は画像演算処理の中心であり、それは感光部材３２と電気的に接続される画像処理装置４１を含み、主に感光部材３２から出すマトリクス式電気信号を変換した上で、画像処理で放映可能な連続動態のＡＶＩ、ＭＰＥＧ−２様式の画像信号に編集する。
【００２１】
上記の具体的な実施形態では、信号処理装置４０の画像処理装置４１には画像修正装置とする画像処理ソフトウェアを内蔵しており、これは画像取得装置３０がドアスコープレンズユニット１０から取得した変形歪み画像に修正を施すためのもので、画像信号をメモリ４２内に保存したり、表示装置５０から表示したりする。表示装置５０はケース２０に一体で設置することができ、液晶表示画面５１と画像信号を表示可能な表示信号に変換するディスプレイドライバモジュール５２とを含んで、液晶表示画面５１がリアルタイムな動態画面を表示する。
【００２２】
上記の具体的な実施形態では、本考案を平時は休眠待機中にさせ、状況に応じて直ちに起動することができ、環境保護としての省エネ目的を果たす。それはケース２０に信号処理装置４０と電気的に接続されたスイッチ４３、及びスイッチ４３と電気的に接続されたタイマー４４を取り付ける。別の実施形態では、上記スイッチ４３はタイマー機能を備えた定時スイッチでもよい。
【００２３】
スイッチ４３をオンにすると、信号処理装置４０は画像取得装置３０を起動してドア外部の画像を取得した上でタイマー４４が計時作業を開始し、設定した時間になるとタイマー４４はスイッチ４３を切るよう制御し、信号処理装置４０が画像取得装置３０と表示装置５０をオフにする。
【００２４】
（３、本考案の具体的な操作）
図２、図７及び図８に示すように、ドア外部に動静や異常がないとき、画像取得装置３０と表示装置５０は休眠待機中にあり、これと逆に、ドア外部で来客がチャイムを押したり異常が起きたりすると、家主はドアパネル１に赴いてケース２０上のスイッチ４３を押し、スイッチ４３のトリガーによって信号処理装置４０を起動して画像取得装置３０がドア外部の状況について画像を取得する。
【００２５】
同時にドアスコープレンズユニット１０の第二レンズ１１０（ｓｅｃｏｎｄ  ｌｅｎｓ）と第一レンズ３１（ｆｉｒｓｔ  ｌｅｎｓ）によってドア外部の状態の画像光源を撮影すると共に、感光部材３２で画像光源をマトリクス式電気信号に変換した上で、画像処理装置４１で電気信号を変換し、画像処理と編集を施すと放映可能な連続動態のＡＶＩ、ＭＰＥＧ−２様式の画像信号となり、さらに画像修正装置で変形して歪んだ画像に画像修正処理を施し、最後にケース２０にある表示装置５０で表示する。このようにして、家主は容易に表示装置５０によってドア外部のリアルタイムな状態の画面を観察することができる。
【００２６】
図８に示すように、スイッチをオンにすると、スイッチ４３に連結されたタイマー４４が計時を開始し、所定の計数時間に達すると、タイマー４４はスイッチ４３を制御してオフにし、信号処理装置４０が画像取得装置３０と表示装置５０をオフにする。こうして画像取得装置３０と表示装置５０は休眠待機状態に戻る。
【００２７】
（４、結論）
従って、上記の設計により、本考案はデジタルデジタル撮影／現像技術を採用して一般に市販されているドアスコープレンズユニットをひとつに統合することから、ドアスコープレンズユニットの金型や部品を新たに開発する必要がなく、生産コストを節減すると共に、ドア外部の様子の画像をリアルタイムでデジタル画像に変換することができるので、画面が大きく画像識別度が良好等の特徴を備え、家主が手軽で眼に負担もなくドア外部の来客や外の様子を観察することができる。
【００２８】
以上の記述は本考案の好ましい実施形態に過ぎず、これを以って本実用新案登録請求の範囲を限定するものではなく、下記の実用新案登録請求の範囲で記述された内容、特徴及びその精神に基づき行ったその他変更した等価実施は全て本実用新案登録請求の範囲に含まれるものとする。本考案が実用新案登録請求の範囲で具体的に定義した特徴は同類の物品には見られず、実用性と進歩性を備えており、実用新案の要件に合致していることから、法に則り出願する。よって、貴局が法に則り実用新案を査定され、本出願人の合法的権益を保護されるよう願うものである。
【符号の説明】
【００２９】
１  ドアパネル
１ａ  孔
１０  ドアスコープレンズユニット
１１  第１筒体
１１０  レンズ
１２  第２筒体
１２０  リング端
２０  ケース
２１  ハウジング
２２  第１開口
２３  第２開口
２４  ケースカバー
２５  透明板
３０  画像取得装置
３１  レンズ
３２  感光部材
４０  信号処理装置
４１  画像処理装置
４２  メモリ
４３  スイッチ
４４  タイマー
５０  表示装置
５１  液晶表示画面
５２  ディスプレイドライバモジュール
６０  結合方法
６１  台座
６１０  プレート
６１１  貫通孔
６１２  円周壁
６１３  嵌入端
６２  筒体
６２０  係止端
６２１  リング溝
７０  電源供給装置
【図１】
0003160302.tif 000003
【図２】
0003160302.tif 000004
【図３】
0003160302.tif 000005
【図４】
0003160302.tif 000006
【図５】
0003160302.tif 000007
【図６】
0003160302.tif 000008
【図７】
0003160302.tif 000009
【図８】
0003160302.tif 000010
【手続補正書】
【提出日】平成22年4月8日(2010.4.8)
【手続補正１】
【補正対象書類名】実用新案登録請求の範囲
【補正対象項目名】請求項１
【補正方法】変更
【補正の内容】
【請求項１】
ドアパネルのドアスコープレンズユニットと組合せて、前記ドアスコープレンズユニットが取得した画像を取得すると共に、デジタル式画像に変換して表示するデジタル式ドアスコープ装置であって、ケースと、前記ドアスコープレンズユニットが取得した画像光源を取得するためのレンズを含む、前記ケースに設置したデジタル式画像取得装置と、前記画像光源をデジタル式の画像信号に変換処理して出力するための信号処理装置と、前記デジタル式画像を受信して表示するための表示装置と、前記ケースと前記ドアスコープレンズユニットとを一つに結合するための結合部材と、を含むことを特徴とするデジタル式ドアスコープ装置。
【手続補正２】
【補正対象書類名】実用新案登録請求の範囲
【補正対象項目名】請求項２
【補正方法】変更
【補正の内容】
【請求項２】
前記ドアスコープレンズユニットは螺合接続した第１筒体と第２筒体を含み、前記第１筒体にはレンズを取り付け、前記第２筒体の第一端には外径が拡大されたリング端を環設し、前記第１筒体は前記ドアパネルの孔の一端に位置決めし、前記第２筒体の第二端は前記孔の他端から貫入して前記第１筒体と螺接し、前記結合部材は、台座はプレートを具備し、前記プレート上に貫通孔を設けて前記第２筒体を貫入した上で前記第１筒体と螺接し、前記貫通孔の外縁は前記第２筒体の前記リング端に係止させ、前記プレートの一面に突起を設けて前記貫通孔の円周壁を囲繞し、前記円周壁の内壁には複数個の嵌入端を設けるステップと、前記ケース上に設けて前記レンズを取り付ける筒体であって、前記筒体の外周に前記複数個の嵌入端と逐一組合せて嵌め込む複数個の係止端を取り付けるステップと、前記台座は前記第１筒体と第２筒体で螺接し、前記第２筒体の前記リング端で挟み合わせて前記ドアパネル上に固定し、前記筒体の末端は前記円周壁内に貫入して前記レンズと前記第２筒体の末端とを組合わせた上、ある角度回動させ、前記嵌入端と前記係止端によって嵌合させて前記ケースと前記台座を結合し、前記ドアパネルに位置決めするステップと、を含むことを特徴とする請求項１に記載のデジタル式ドアスコープ装置。
【手続補正３】
【補正対象書類名】実用新案登録請求の範囲
【補正対象項目名】請求項１３
【補正方法】変更
【補正の内容】
【請求項１３】
さらに画像を記録するためのメモリを含むことを特徴とする請求項１に記載のデジタル式ドアスコープ装置。